(57)【特許請求の範囲】
【請求項１】
用紙に画像を印刷する印刷部と、用紙の搬送方向と直交する方向の用紙幅が所定の第１幅である用紙、及び、前記第１幅よりも狭い第２幅の用紙を前記印刷部に搬送する搬送機構とを備えた画像形成装置において、
用紙を搬送する第１ローラと、
前記第１ローラによって搬送されてくる用紙の斜行を補正するレジストローラ対と、
搬送される用紙の用紙幅が前記第１幅である場合、前記レジストローラ対により用紙の斜行が補正された後に前記第１ローラによって用紙に伝達される搬送力が遮断されて用紙が前記レジストローラ対によって前記印刷部に搬送され、搬送される用紙の用紙幅が前記第２幅である場合、前記レジストローラ対により用紙の斜行が補正された後にも前記第１ローラによって用紙に搬送力が伝達されて、用紙が前記第１ローラ及び前記レジストローラ対によって前記印刷部に搬送されるように前記搬送機構を制御する制御部とを備えることを特徴とする画像形成装置。
【請求項２】
請求項１に記載の画像形成装置において、
前記レジストローラ対によって搬送されてくる用紙を搬送可能な第２ローラを備え、
前記制御部は、搬送される用紙の用紙幅が前記第２幅であり、且つ、搬送される用紙の搬送方向における用紙長が前記第１ローラから前記第２ローラまでの第１用紙搬送距離よりも長い場合、前記用紙の先端が前記第２ローラに到達するまで前記第１ローラ及び前記レジストローラ対によって用紙が搬送され、その後に前記第１ローラによって用紙に伝達される搬送力が遮断されるように前記搬送機構を制御することを特徴とする画像形成装置。
【請求項３】
請求項２に記載の画像形成装置において、
前記制御部は、搬送される用紙の用紙幅が前記第２幅であり、且つ、前記搬送される用紙の搬送方向における用紙長が前記第１用紙搬送距離よりも短い場合、前記用紙の後端が前記第１ローラとの接触位置を通過する直前に前記第１ローラによって前記用紙に伝達される搬送力が遮断されるように前記搬送機構を制御することを特徴とする画像形成装置。
【請求項４】
請求項１から請求項３のいずれか１つに記載の画像形成装置において、
搬送される用紙の用紙幅が前記第１幅であるか、又は、前記第２幅であるかを判断する用紙幅判断部を備え、
前記用紙幅判断部は、前記用紙幅を検出する用紙幅センサを有し、前記用紙幅センサの出力により搬送される用紙の用紙幅が前記第１幅であるか、又は、前記第２幅であるかを判断することを特徴とする画像形成装置。
【請求項５】
請求項１から請求項４のいずれか１つに記載の画像形成装置において、
前記第１ローラにより用紙が搬送される期間における用紙の搬送距離が前記第１ローラから前記レジストローラ対までの第２用紙搬送距離よりも大きく、
前記制御部は、搬送される用紙の用紙幅が前記第１幅である場合、１回の前記期間において用紙が前記第１ローラにより搬送された後に当該第１ローラによる用紙の搬送が停止され、搬送される用紙の用紙幅が前記第２幅である場合、複数の前記期間において用紙が前記第１ローラにより搬送された後に当該第１ローラによる用紙の搬送が停止されるように前記搬送機構を制御することを特徴とする画像形成装置。
【請求項６】
請求項１から請求項４のいずれか１つに記載の画像形成装置において、
前記第１ローラにより用紙が搬送される期間における用紙の搬送距離が前記第１ローラから前記レジストローラ対までの第２用紙搬送距離よりも大きく、かつ、前記期間における前記第１ローラによる用紙の搬送が開始されたときに前記第１ローラと用紙とが接触し、当該期間における前記第１ローラによる用紙の搬送が終了されたときに前記第１ローラと用紙とが離れ、
前記制御部は、搬送される用紙の用紙幅が前記第１幅である場合、１回の前記期間において用紙が前記第１ローラにより搬送された後に当該第１ローラによる用紙の搬送が停止され、搬送される用紙の用紙幅が前記第２幅である場合、複数の前記期間において用紙が前記第１ローラにより搬送された後に当該第１ローラによる用紙の搬送が停止されるように前記搬送機構を制御することを特徴とする画像形成装置。
【請求項７】
請求項５又は請求項６に記載の画像形成装置において、
前記制御部は、前記レジストローラ対が用紙の先端を挟持した時点から前記第１ローラによって用紙に伝達される搬送力が遮断されるまで前記レジストローラ対の回転を停止させることを特徴とする画像形成装置。
【請求項８】
請求項１から請求項７のいずれか１つに記載の画像形成装置において、
前記レジストローラ対は、駆動ローラと従動ローラとを有し、
駆動ローラ又は従動ローラの少なくとも一方のローラは、２つの軸受けにより回転可能に支持され、ばねの作用により前記２つの軸受けを介して他方のローラに圧接され、前記２つの軸受けにおける一方の軸受けが配置されている位置から他方の軸受けが配置されている位置までの距離が前記第２幅よりも大きいことを特徴とする画像形成装置。
【発明の詳細な説明】
【技術分野】
【０００１】
本発明は、画像形成装置に関する。
【背景技術】
【０００２】
従来より、画像形成装置には、用紙に画像を形成する画像形成部に搬送される用紙の斜行を補正するレジストローラ対と、このレジストローラ対に用紙を搬送する搬送ローラとが備えられている。例えば、特許文献１に記載された画像形成装置には、給紙ローラとレジストローラ対が備えられている。給紙ローラは、用紙を給紙カセットからレジストローラ対に向かって給紙する。レジストローラ対は、駆動ローラと従動ローラにより構成され、駆動ローラは電磁クラッチを介して駆動力を得ている。従動ローラは、両軸受により回転可能に支持され、ばねの作用により軸受を介し駆動ローラに圧接されている。各軸受はその１端に軸穴を備え、これに本体フレームに取り付けた軸ピンが回動自在に嵌入して軸受の支点をなし、前記ばねはこの支点と従動ローラの入る軸受孔との間にて軸受に係止して、これに圧接力を及ぼしている。
【先行技術文献】
【特許文献】
【０００３】
【特許文献１】特開平５−１１９６３７号公報
【発明の概要】
【発明が解決しようとする課題】
【０００４】
しかしながら、特許文献１に記載の画像形成装置におけるレジストローラ対は、従動ローラの両端が押圧されているため、レジストローラ対の用紙搬送方向中央部分の搬送力が両端の搬送力と比較して弱くなる傾向がある。はがきなどの小サイズ紙が搬送された場合、搬送力の弱いレジストローラ対の中央部分によって用紙が搬送されると、搬送力不足により用紙の斜行が発生してしまう問題があった。
【０００５】
本発明は、上述した問題を解決するためになされたものであり、その目的は、用紙の斜行を抑制できる画像形成装置を提供することにある。
【課題を解決するための手段】
【０００６】
この目的を達成するために、請求項１記載の画像形成装置は、用紙に画像を印刷する印刷部と、用紙の搬送方向と直交する方向の用紙幅が所定の第１幅である用紙、及び、前記第１幅よりも狭い第２幅の用紙を前記印刷部に搬送する搬送機構とを備えた画像形成装置において、用紙を搬送する第１ローラと、前記第１ローラによって搬送されてくる用紙の斜行を補正するレジストローラ対と、搬送される用紙の用紙幅が前記第１幅である場合、前記レジストローラ対により用紙の斜行が補正された後に前記第１ローラによって用紙に伝達される搬送力が遮断されて用紙が前記レジストローラ対によって前記印刷部に搬送され、搬送される用紙の用紙幅が前記第２幅である場合、前記レジストローラ対により用紙の斜行が補正された後にも前記第１ローラによって用紙に搬送力が伝達されて、用紙が前記第１ローラ及び前記レジストローラ対によって前記印刷部に搬送されるように前記搬送機構を制御する制御部とを備える。
【０００７】
請求項１記載の画像形成装置によれば、搬送される用紙の用紙幅が第１幅である場合、第１ローラによる用紙の搬送が、搬送された用紙の斜行が補正されるまで行われる。用紙の斜行が補正された後は、第１ローラによって用紙に伝達される搬送力が遮断され、レジストローラ対によって用紙に搬送力が伝達される。搬送される用紙の用紙幅が第１幅よりも狭い第２幅である場合、用紙の斜行が補正された後も第１ローラによって用紙に搬送力が伝達される。用紙がレジストローラ対と第１ローラとの２つのローラによって搬送されるので、レジストローラ対における搬送力不足が解消される。したがって、用紙の斜行を抑制できる。
【０００８】
また、請求項２記載の画像形成装置は、前記レジストローラ対によって搬送されてくる用紙を搬送可能な第２ローラを備え、前記制御部は、搬送される用紙の用紙幅が前記第２幅であり、且つ、搬送される用紙の搬送方向における用紙長が前記第１ローラから前記第２ローラまでの第１用紙搬送距離よりも長い場合、前記用紙の先端が前記第２ローラに到達するまで前記第１ローラ及び前記レジストローラ対によって用紙が搬送され、その後に前記第１ローラによって用紙に伝達される搬送力が遮断されるように前記搬送機構を制御する。
【０００９】
請求項２記載の画像形成装置によれば、搬送される用紙の用紙幅が第２幅であり、且つ、搬送される用紙の搬送方向における用紙長が第１ローラから第２ローラまでの第１用紙搬送距離よりも長い場合、用紙の先端が第２ローラに到達するまで、用紙が第１ローラ、及び、レジストローラ対によって搬送される。用紙の先端が第２ローラに到達した後は、レジストローラ対、及び、第２ローラにより用紙を搬送することができる。用紙の先端が第２ローラに到達する前、及び、用紙の先端が第２ローラに到達した後でも、用紙を少なくとも２つのローラにより搬送することができる。つまり、用紙の先端が第２ローラに到達した後は、第１ローラによって用紙に伝達される搬送力が遮断されてもレジストローラ対、及び、第２ローラの２つのローラにより用紙を搬送することができる。したがって、用紙の先端が第２ローラに到達した後に第１ローラによって用紙に伝達される搬送力が遮断されても、レジストローラ対の搬送力不足が解消されるため、用紙の斜行を抑制でき、かつ、不要となった第１ローラによって用紙に伝達される搬送力を抑制できる。
【００１０】
また、請求項３記載の画像形成装置は、前記制御部は、搬送される用紙の用紙幅が前記第２幅であり、且つ、前記搬送される用紙の搬送方向における用紙長が前記第１用紙搬送距離よりも短い場合、前記用紙の後端が前記第１ローラとの接触位置を通過する直前に、前記第１ローラによって前記用紙に伝達される搬送力が遮断されるように前記搬送機構を制御する。
【００１１】
請求項３記載の画像形成装置によれば、搬送される用紙の後端が第１ローラとの接触位置を通過する直前に、第１ローラによって用紙に伝達される搬送力が遮断されるため、搬送される用紙が第１ローラによって搬送される間は、用紙の斜行を抑制することができ、かつ、用紙が重送されずに搬送できる。
【００１２】
また、請求項４記載の画像形成装置は、搬送される用紙の用紙幅が前記第１幅であるか、又は、前記第２幅であるかを判断する用紙幅判断部を備え、前記用紙幅判断部は、前記用紙幅を検出する用紙幅センサを有し、前記用紙幅センサの出力により搬送される用紙の用紙幅が前記第１幅であるか、又は、前記第２幅であるかを判断する。
【００１３】
請求項４記載の画像形成装置によれば、用紙幅が不明である用紙が搬送された場合でも、用紙幅センサにより用紙幅が第１幅であるか、又は、第２幅であるかを判断することができ、用紙の斜行を抑制する制御を正確に実行することができる。
【００１４】
また、請求項５記載の画像形成装置は、前記第１ローラにより用紙が搬送される期間における用紙の搬送距離が前記第１ローラから前記レジストローラ対までの第２用紙搬送距離よりも大きく、前記制御部は、搬送される用紙の用紙幅が前記第１幅である場合、１回の前記期間において用紙が前記第１ローラにより搬送された後に当該第１ローラによる用紙の搬送が停止され、搬送される用紙の用紙幅が前記第２幅である場合、複数の前記期間において用紙が前記第１ローラにより搬送された後に当該第１ローラによる用紙の搬送が停止されるように前記搬送機構を制御する。
【００１５】
請求項５記載の画像形成装置によれば、第１ローラにより用紙が搬送される期間における用紙の搬送距離が第１ローラからレジストローラ対までの第２用紙搬送距離よりも大きい。つまり、１回の前記期間において用紙を前記第１ローラにより搬送すると、用紙の先端がレジストローラ対に挟持される。さらに前記期間における前記第１ローラによる用紙搬送を行うと用紙の先端がレジストローラ対を越えて第１ローラとレジストローラ対との２つのローラにより用紙が搬送される。
【００１６】
また、請求項６記載の画像形成装置は、前記第１ローラにより用紙が搬送される期間における用紙の搬送距離が前記第１ローラから前記レジストローラ対までの第２用紙搬送距離よりも大きく、かつ、前記期間における前記第１ローラによる用紙の搬送が開始されたときに前記第１ローラと用紙とが接触し、当該期間における前記第１ローラによる用紙の搬送が終了されたときに前記第１ローラと用紙とが離れ、
前記制御部は、搬送される用紙の用紙幅が前記第１幅である場合、１回の前記期間において用紙が前記第１ローラにより搬送された後に当該第１ローラによる用紙の搬送が停止され、搬送される用紙の用紙幅が前記第２幅である場合、複数の前記期間において用紙が前記第１ローラにより搬送された後に当該第１ローラによる用紙の搬送が停止されるように前記搬送機構を制御する。
【００１７】
請求項６記載の画像形成装置によれば、第１ローラにより用紙が搬送される期間における用紙の搬送距離が第１ローラからレジストローラ対までの第２用紙搬送距離よりも大きい。つまり、１回の前記期間において用紙を前記第１ローラにより搬送すると、用紙の先端がレジストローラ対に挟持され、その後、第１ローラと用紙とが離れるため、用紙にかかるバックテンションを防止できる。さらに前記期間における前記第１ローラによる用紙搬送を行うと、用紙の先端がレジストローラ対を通過し、用紙が第１ローラとレジストローラ対との２つのローラにより搬送される。
【００１８】
また、請求項７記載の画像形成装置は、前記制御部は、前記レジストローラ対が用紙の先端を挟持した時点から前記第１ローラによって用紙に伝達される搬送力が遮断されるまで前記レジストローラ対の回転を停止させる。
【００１９】
請求項７記載の画像形成装置によれば、第１ローラによって用紙に伝達される搬送力が遮断されている間にレジストローラ対によって用紙が搬送されると、用紙が斜行する虞がある。それに対し、第１ローラとレジストローラ対との回転タイミングを合わせることで、第１ローラによって用紙に伝達される搬送力が遮断されている間に発生する用紙の斜行を抑制できる。
【００２０】
また、請求項８記載の画像形成装置は、前記レジストローラ対は、駆動ローラと従動ローラとを有し、駆動ローラ又は従動ローラの少なくとも一方のローラは、２つの軸受けにより回転可能に支持され、ばねの作用により前記２つの軸受けを介して他方のローラに圧接され、前記２つの軸受けにおける一方の軸受けが配置されている位置から他方の軸受けが配置されている位置までの距離が前記第２幅よりも大きい。
【００２１】
請求項８記載の画像形成装置によれば、２つの軸受けにおける一方の軸受けが配置されている位置から他方の軸受けが配置されている位置までの距離が第２幅よりも大きく、駆動ローラ又は従動ローラの少なくとも一方のローラは、ばねの作用により２つの軸受けを介して他方のローラに圧接されているため、少なくとも一方のローラがたわむ。つまり、２つの軸受けの中央付近におけるレジストローラ対の搬送力が、軸受け付近におけるレジストローラ対の搬送力と比べて弱くなる。したがって、第２幅の用紙がレジストローラ対により搬送される際に、より好適である。
【発明の効果】
【００２２】
本発明によれば、用紙の斜行を抑制できる。
【図面の簡単な説明】
【００２３】
【図１】本発明の第１の実施形態に係るレーザプリンタの全体の内部構成を表す側断面図である。
【図２】本発明の第１の実施形態に係るレジストローラと用紙の幅関係を表す概念図である。
【図３】本発明の第１の実施形態に係るレーザプリンタの電気的構成を表すブロック図である。
【図４】本発明の第１の実施形態に係るマルチパーパストレイ上の用紙が印刷される時の動作を表すタイミングチャート（その１）である。
【図５】本発明の第１の実施形態に係るマルチパーパストレイ上の用紙が印刷される時の動作を表すタイミングチャート（その２）である。
【図６】本発明の第１の実施形態に係るマルチパーパストレイ上の用紙が印刷される時の処理の流れを表すフローチャートである。
【図７】本発明の第２の実施形態に係るレーザプリンタの電気的構成を表すブロック図である。
【図８】本発明の第２の実施形態に係るマルチパーパストレイ上の用紙が印刷される時の動作を表すタイミングチャートである。
【図９】本発明の第２の実施形態に係るマルチパーパストレイ上の用紙が印刷される時の処理の流れを表すフローチャートである。
【図１０】本発明の第３の実施形態に係るマルチパーパストレイ上の用紙が印刷される時の動作を表すタイミングチャートである。
【図１１】本発明の第３の実施形態に係るマルチパーパストレイ上の用紙が印刷される時の処理の流れを表すフローチャートである。
【図１２】本発明の第４の実施形態に係るマルチパーパストレイ上の用紙が印刷される時の動作を表すタイミングチャートである。
【図１３】本発明の第４の実施形態に係るマルチパーパストレイ上の用紙が印刷される時の処理の流れを表すフローチャートである。
【発明を実施するための形態】
【００２４】
［第１の実施形態］
次に本発明の第１の実施形態を図１から図６を参照して説明する。第１の実施形態では、本発明をレーザプリンタに適用させた場合について説明する。
【００２５】
（レーザプリンタの全体構成）
図１は、本発明の第１の実施形態に係るレーザプリンタの全体の内部構成を表す側断面図である。図２は、本発明の第１の実施形態に係るレジストローラと用紙の幅関係を表す概念図である。このレーザプリンタ１は、本体ケーシング２を備え、その本体ケーシング２内に用紙３を給紙するための給紙部４や、給紙された用紙３に画像を形成するための画像形成部５などを備えている。なお、以下の説明においては、図１の左側を前方とし、右側を後方とする。本実施形態のレーザプリンタ１は、本発明の画像形成装置の一例である。本実施形態の画像形成部５は、本発明の印刷部の一例である。
【００２６】
（１）本体ケーシング
本体ケーシング２の前方上面には、後述するプロセスカートリッジ２６を着脱するための着脱口６が形成されており、この着脱口６はフロントカバー７により開閉可能に覆われている。また、本体ケーシング２の上面には、画像形成後の用紙３が積載される排紙トレイ９が設けられている。
【００２７】
（２）給紙部
給紙部４は、本体ケーシング２内の底部に、着脱可能に装着される給紙トレイ１１と、給紙トレイ１１内に設けられた用紙押圧板１６と、給紙トレイ１１の一端部の上方に設けられる給紙ローラ１３および分離パット１２と、給紙ローラ１３に対し用紙３の搬送方向の下流側に設けられる搬送ローラ１８及び１９と、搬送ローラ１８および１９に対し用紙３の搬送方向の下流側に設けられるレジストローラ１４Ａ，１４Ｂとを備えており、給紙トレイ１１に積載される用紙３を画像形成部５に供給する。以下、用紙３の搬送方向上流側または下流側を、単に、上流側または下流側という場合がある。本実施形態のレジストローラ１４Ａ，１４Ｂは、本発明のレジストローラ対である。
【００２８】
用紙押圧板１６は、用紙３を積層状にスタック可能とされ、給紙ローラ１３に対して遠い方の端部において揺動可能に支持されることによって、近い方の端部を上下方向に移動可能とし、また、その裏側から図示しないばねによって上方向に付勢されている。そのため、用紙押圧板１６は、用紙３の積載量が増えるに従って、給紙ローラ１３に対して遠い方の端部を支点として、ばねの付勢力に抗して下向きに揺動される。給紙ローラ１３および分離パット１２は、互いに対向状に配設され、分離パット１２の裏側に配設されるばね１７によって、分離パット１２が給紙ローラ１３に向かって押圧されている。用紙押圧板１６上の最上位にある用紙３は、用紙押圧板１６の裏側から図示しないばねによって給紙ローラ１３に向かって押圧され、その給紙ローラ１３の回転によって給紙ローラ１３と分離パット１２とで挟まれた後、１枚毎に給紙される。給紙された用紙３は、搬送ローラ１８および１９によってレジストローラ１４Ａ，１４Ｂに送られる。レジストローラ１４Ａ，１４Ｂは、１対のローラからなり、用紙３を所定のレジスト後に、画像形成部５に送るようにしている。
【００２９】
また、給紙部４は、本体ケーシング２の前部に開閉可能に設けられたマルチパーパストレイ１４と、マルチパーパストレイ１４上に積載される用紙３の幅を規制するガイド６５と、ガイド６５の幅を検出する用紙幅検出センサ６４と、マルチパーパストレイ１４上に積載される用紙３を給紙するためのマルチパーパス側給紙ローラ１５およびマルチパーパス側分離パット１５ａとを備えており、マルチパーパス側給紙ローラ１５およびマルチパーパス側分離パット１５ａは、互いに対向状に配設され、マルチパーパス側分離パット１５ａの裏側に配設される図示しないばねによって、マルチパーパス側分離パット１５ａがマルチパーパス側給紙ローラ１５に向かって押圧されている。マルチパーパストレイ１４上に積載される用紙３は、ガイド６５によって用紙幅が規制され、マルチパーパス側給紙ローラ１５の回転によってマルチパーパス側給紙ローラ１５とマルチパーパス側分離パット１５ａとで挟まれた後、１枚毎に給紙される。給紙された用紙３は、レジストローラ１４Ａ，１４Ｂを介して、画像形成部５に送られる。ガイド６５は、図２に示すように、例えば、はがきサイズの用紙３がマルチパーパストレイ１４上に載置される場合、一点鎖線で図示されたガイド６５が、用紙３の幅方向の中央に向かって矢印方向に二点鎖線で図示されたガイド６５の位置まで移動され、用紙３の幅を規制する。Ａ４サイズの用紙３が載置される場合は、一点鎖線で図示されたガイド６５の位置で用紙３の幅が規制される。用紙幅検出センサ６４は、マルチパーパストレイ１４上に設けられた用紙３の幅を規制するガイド６５の幅を検出する。本実施形態のマルチパーパス側給紙ローラ１５は、本発明の第１ローラの一例である。
【００３０】
給紙トレイ１１からレジストローラ１４Ａ，１４Ｂへ向かう搬送路と、マルチパーパストレイ１４からレジストローラ１４Ａ，１４Ｂへ向かう搬送路とは、給紙ローラ１３の上方で合流している。この合流箇所付近には、用紙３の有無を検出するレジ前センサ２１が設けられており、その下流側に、レジストローラ１４Ａ，１４Ｂが配置されている。レジストローラ１４Ａ，１４Ｂは、回転駆動されるレジストローラ１４Ａと、そのレジストローラ１４Ａの上側に圧接して従動回転するレジストローラ１４Ｂとからなる。レジストローラ１４Ａ，１４Ｂの下流側には、用紙３の有無を検知するレジ後センサ２２が設けられている。さらに、レジ後センサ２２の下流側には、後述する画像形成部５が有する感光体ドラム３１と転写ローラ３４とが対向して配置されている。レジストローラ１４Ａ，１４Ｂにより搬送される用紙３が、この感光体ドラム３１と転写ローラ３４との間の転写位置を通過するときに、感光体ドラム３１上のトナー像が用紙３上に転写される。本実施形態の感光体ドラム３１は、本発明の第２ローラの一例である。本実施形態のレジストローラ１４Ａは、本発明の駆動ローラの一例である。本実施形態のレジストローラ１４Ｂは、本発明の従動ローラの一例である。
【００３１】
レジストローラ１４Ａは、図２に示すように、レジストローラ１４Ａの両端部が軸受け１４Ｃ，１４Ｄにより回転可能に支持されている。軸受け１４Ｃは、フレーム２Ａに配置されたばね１４Ｅの作用により、レジストローラ１４Ａがレジストローラ１４Ｂに圧接される方向に押圧されている。フレーム２Ａは、本体ケーシング２の内側に固定されている。同様に軸受け１４Ｄは、フレーム２Ａに配置されたばね１４Ｆの作用により、レジストローラ１４Ａがレジストローラ１４Ｂに圧接される方向に力を受けている。レジストローラ１４Ｂは、その両端部が本体ケーシング２に嵌合された図示しない軸受けにより回転可能に支持されている。レジストローラ１４Ａは、両端部が押圧されているため、たわむ。したがって、レジストローラ１４Ａの中央付近における用紙３を搬送する搬送力が、軸受け１４Ｃ，１４Ｄ付近における搬送力と比べて弱くなる。Ａ４サイズの用紙幅Ｌ２の用紙３を搬送するために、レジストローラ１４Ａの軸方向における軸受け１４Ｃから軸受け１４Ｄまでの距離Ｌ１が設けられている。Ａ４サイズに対しはがきサイズの用紙幅Ｌ３よりも狭い用紙３が給紙されると、搬送力の弱いレジストローラ１４Ａの中央付近で搬送されるため、レジストローラ１４Ａ，１４Ｂのみで用紙３を搬送すると、用紙３が斜行することがある。
【００３２】
また、レジストローラ１４Ａの回転は、後述するレジストローラ用ソレノイド６１により制御されている。レジストローラ用ソレノイド６１は、後述するメインモータ６０とレジストローラ１４Ａとの間のクラッチ機構として設けられ、オフのときにはメインモータ６０からレジストローラ１４Ａへ動力が伝達される状態となり、オンのときにはその動力伝達が遮断される状態となる。
【００３３】
マルチパーパス側給紙ローラ１５の回転は、後述する給紙ローラ用電磁クラッチ６２により制御されている。給紙ローラ用電磁クラッチ６２は、メインモータ６０とマルチパーパス側給紙ローラ１５との間のクラッチ機構として設けられ、オンのときには、メインモータ６０からマルチパーパス側給紙ローラ１５へ動力が伝達される状態となり、オフのときにはその動力伝達が遮断される状態となる。動力伝達が遮断されると、マルチパーパス側給紙ローラ１５は用紙３の搬送に伴って連れ回りする。本実施形態のレジストローラ１４Ａ，１４Ｂ、マルチパーパス側給紙ローラ１５、レジストローラ用ソレノイド６１、及び、給紙ローラ用電磁クラッチ６２は、本発明の搬送機構の一例である。
【００３４】
（３）画像形成部
画像形成部５は、スキャナ部２５、プロセスカートリッジ２６、定着部２７などを備えて構成されている。
【００３５】
（ａ）スキャナ部
スキャナ部２５は、本体ケーシング２内の上部に設けられ、図示しないレーザ光源、回転駆動されるポリゴンミラー２９、レンズ３０及び３２、反射鏡３３などを備えている。スキャナ部２５は、レーザ光源から発光される画像データに基づいたレーザ光を、鎖線で示すように、ポリゴンミラー２９、レンズ３０、反射鏡３３、レンズ３２の順に通過あるいは反射させて、後述するプロセスカートリッジ２６の感光体ドラム３１の表面上に高速走査にて照射する。
【００３６】
（ｂ）プロセスカートリッジ
プロセスカートリッジ２６は、スキャナ部２５の下方において、本体ケーシング２に対して着脱自在に装着されている。このプロセスカートリッジ２６は、感光体ドラム３１を備えるとともに、図示しない、スコロトロン型帯電器、現像ローラ、トナー収容部等を備えている。
【００３７】
トナー収容部には、現像剤として、正帯電性の非磁性１成分の重合トナーが充填されており、そのトナーが、現像ローラに一定厚さの薄層として担持される。一方、感光体ドラム３１は、現像ローラと対向状に回転可能に配設されており、ドラム本体が接地されるとともに、その表面がポリカーボネートなどから構成される正帯電性の感光層により形成されている。
【００３８】
そして、感光体ドラム３１の表面は、感光体ドラム３１の回転に伴なって、スコロトロン型帯電器により一様に正帯電された後、スキャナ部２５からのレーザー光の高速走査により露光され、所定の画像データに基づく静電潜像が形成され、その後、現像ローラと対向した時に、現像ローラ上に担持されかつ正帯電されているトナーが、その感光体ドラム３１の表面に形成される静電潜像、すなわち、一様に正帯電されている感光体ドラム３１の表面のうち、レーザー光によって露光され電位が下がっている部分に供給され、選択的に担持されることによって可視像化され、これによって反転現像が達成される。
【００３９】
転写ローラ３４は、感光体ドラム３１の下方において、本体ケーシング２側において回転可能に支持された状態で、感光体ドラム３１と対向するように配置されている。この転写ローラ３４は、金属製のローラ軸に、導電性のゴム材料からなるローラが被覆されており、感光体ドラム３１に対して所定の転写バイアスが印加されている。そのため、感光体ドラム３１上に担持されたトナーからなる可視像は、用紙３が感光ドラム２３と転写ローラ３４との間を通る間に用紙３に転写される。可視像が転写された用紙３は、次いで定着部２７に搬送される。
【００４０】
（ｃ）定着部
定着部２７は、ハロゲンランプ等の熱源を備えて回転駆動される加熱ローラ４２と、加熱ローラ４２を押圧するように対向配置された加圧ローラ４３とを備えている。この定着器２７では、トナー像を坦持した用紙３を、加熱ローラ４２及び加圧ローラ４３によって狭持搬送しながら加熱することにより、トナー像を用紙３に定着させる。そして、熱定着された用紙３は、本体ケーシング２の上部に設けられた排紙ローラ４４へ搬送され、この排紙ローラ４４により前述の排紙トレイ９上に排出される。
【００４１】
（レーザプリンタの電気的構成）
次に、レーザプリンタ１の電気的構成について説明する。図３は、本発明の第１の実施形態に係るレーザプリンタの電気的構成を表すブロック図である。
【００４２】
レーザプリンタ１は、ＣＰＵ５１、ＲＯＭ５２、ＲＡＭ５３、制御部５４、ネットワークインターフェイス５５等を備えて構成された制御装置５６を備えている。ＲＯＭ５２には、レーザプリンタ１を制御するための各種制御プログラムや各種設定、初期値等が記憶されている。ＲＡＭ５３は、各種制御プログラムが読み出される作業領域として、あるいは印刷データを一時的に記憶する記憶領域として用いられる。
【００４３】
ＣＰＵ５１は、ＲＯＭ５２から読み出した制御プログラムに従って、その処理結果をＲＡＭ５３に記憶させながら、制御部５４を介してレーザプリンタ１の各構成要素を制御する。
【００４４】
ネットワークインターフェイス５５には、コンピュータ５７などの外部機器が接続され、そのコンピュータ５７から送信された印刷指令や印刷データ等を受信する。
【００４５】
制御部５４は、ＡＳＩＣからなり、メインモータ６０、既述の画像形成部５、レジ前センサ２１、レジ後センサ２２、レジストローラ用ソレノイド６１、給紙ローラ用電磁クラッチ６２、及び、用紙幅検出センサ６４などのレーザプリンタ１の各構成要素と電気的に接続されている。
【００４６】
メインモータ６０は、前述した給紙ローラ１３、レジストローラ１４Ａ、マルチパーパス側給紙ローラ１５、図示しない現像ローラ、感光体ドラム３１、加熱ローラ４２、排紙ローラ４４等に図示しないギア機構を介して接続されており、それらを同期させつつ回転駆動する。
【００４７】
（マルチパーパストレイ１４上の用紙３が印刷される時の動作）
次にマルチパーパストレイ１４上の用紙３が印刷される時の動作について図４、図５、及び、図６を用いて説明する。図４及び図５は、本発明の第１の実施形態に係るマルチパーパストレイ上の用紙が印刷される時の動作を表すタイミングチャートである。図６は、本発明の第１の実施形態に係るマルチパーパストレイ上の用紙が印刷される時の処理の流れを表すフローチャートである。
【００４８】
レーザプリンタ１に外部のコンピュータ５７からマルチパーパストレイ１４上の用紙３を用いる印刷指令を受けると、図６に示すフローチャートの処理が開始される。印刷指令を受けると、ＣＰＵ１１は、コンピュータ５７から送信される印刷データを受信し、その印刷データをＲＡＭ５３上に展開する展開処理を開始する。またこれとほぼ同時に、メインモータ６０の駆動が開始される。印刷指令を受け付けると、用紙幅検出センサ６４がマルチパーパストレイ１４上の用紙３の幅を規制するガイド６５のガイド幅を検出する。検出されたガイド幅が用紙３の用紙幅としてＲＡＭ５３に記憶される。少なくともＡ４サイズの用紙幅とはがきサイズの用紙幅とが用紙幅検出センサ６４により検出されるようになっている。
【００４９】
１頁分の印刷データの展開処理が完了すると、給紙ローラ用電磁クラッチ６２がオンになり、マルチパーパストレイ１４上の用紙３がマルチパーパス側給紙ローラ１５の回転により給紙される（Ｓ１０１）。図４に示すように、マルチパーパス側給紙ローラ１５に駆動力が供給され、用紙３を給紙する。次に、レジ前センサ２１が用紙３を検知したか否かが判断される（Ｓ１０２）。レジ前センサ２１が用紙３を検知していない場合（Ｓ１０２：Ｎｏ）、用紙３の搬入を待つ。
【００５０】
レジ前センサ２１が用紙３を検知した場合（Ｓ１０２：Ｙｅｓ）、用紙３がレジストローラ１４Ａ，１４Ｂに到達する前にレジストローラ用ソレノイド６１がオンになる（Ｓ１０３）。レジストローラ用ソレノイド６１がオンになると、レジストローラ１４Ａ，１４Ｂの回転が停止する。このとき、図４に示すように、用紙３を給紙するマルチパーパス側給紙ローラ１５に駆動力が供給され続けているので、用紙３が搬送されて、停止状態のレジストローラ１４Ａ，１４Ｂに用紙３の先端が突き当たる。用紙３の先端がレジストローラ１４Ａ，１４Ｂに突き当てられることにより、用紙３の斜行が補正される。
【００５１】
Ｓ１０３でレジストローラ用ソレノイド６１がオンになってから用紙３の斜行が補正されるまでの所定時間Ｔ１が経過したか否かが判断される（Ｓ１０４）。所定時間Ｔ１が経過しない場合（Ｓ１０４：Ｎｏ）、レジストローラ用ソレノイド６１がオンの状態でマルチパーパス側給紙ローラ１５による用紙３の給紙が行われる。所定時間Ｔ１が経過した場合（Ｓ１０４：Ｙｅｓ）、レジストローラ用ソレノイド６１がオフになる（Ｓ１０５）。レジストローラ用ソレノイド６１がオフになると、レジストローラ１４Ａ，１４Ｂの回転が開始される。そして、斜行が補正された用紙３がレジストローラ１４Ａ，１４Ｂの回転により画像形成部５に向かって搬送される。
【００５２】
次に用紙幅検出センサ６４により検出された用紙幅が、はがきサイズであるか否かが判断される（Ｓ１０６）。用紙幅検出センサ６４により検出された用紙幅が、例えば、Ａ４サイズであり、はがきサイズでない場合（Ｓ１０６：Ｎｏ）、給紙ローラ用電磁クラッチ６２がオフになる（Ｓ１０９）。給紙ローラ用電磁クラッチ６２がオフになると、マルチパーパス側給紙ローラ１５への動力伝達が遮断される状態となり、用紙３が感光体ドラム３１に到達するまでレジストローラ１４Ａ，１４Ｂの搬送力のみによって搬送される。例えば、用紙幅がはがきサイズでなくＡ４サイズである場合は、用紙３がレジストローラ１４Ａ，１４Ｂの搬送力のみによって搬送されても、斜行する可能性が極めて低い。したがって、用紙３がレジストローラ１４Ａ，１４Ｂにより搬送され始めたタイミングで、給紙ローラ用電磁クラッチ６２がオフになっても、適切に用紙３を搬送することができる。本実施形態のＣＰＵ５１、及び、Ｓ１０６は、本発明の用紙幅判断部の一例である。
【００５３】
用紙幅検出センサ６４により検出された用紙幅がはがきサイズである場合（Ｓ１０６：Ｙｅｓ）、用紙３の先端が感光体ドラム３１と転写ローラ３４との間を通過したか否かが判断される（Ｓ１０７）。用紙３の先端が感光体ドラム３１と転写ローラ３４との間を通過したか否かは、用紙３がレジ後センサ２２を通過して所定時間Ｔ２が経過したか否かにより判断される。所定時間Ｔ２は、レジ後センサ２２が用紙３の先端を検知したタイミングから用紙３の先端が感光体ドラム３１と転写ローラ３４との間を通過するまでに要する時間である。
【００５４】
用紙３の先端が感光体ドラム３１と転写ローラ３４との間を通過していないと判断された場合（Ｓ１０７：Ｎｏ）、用紙３の後端がマルチパーパス側給紙ローラ１５の直前の位置に到達したか否かが判断される（Ｓ１０８）。マルチパーパス側給紙ローラ１５の直前の位置とは、マルチパーパス側給紙ローラ１５が用紙３と次の用紙３とを重送しないで搬送できる位置である。用紙３の後端がマルチパーパス側給紙ローラ１５の直前の位置に到達していないと判断された場合（Ｓ１０８：Ｎｏ）、Ｓ１０７に戻る。用紙３の先端が感光体ドラム３１と転写ローラ３４との間を通過するか、又は、用紙３の後端がマルチパーパス側給紙ローラ１５の直前の位置に到達するまでＳ１０７及びＳ１０８の処理が繰り返される。Ｓ１０７及びＳ１０８の処理が繰り返されている間は、図４に示すように、マルチパーパス側給紙ローラ１５に駆動力が供給され続け、レジストローラ１４Ａ，１４Ｂにより用紙３の搬送が行われている。つまり、用紙３がマルチパーパス側給紙ローラ１５、及び、レジストローラ１４Ａ，１４Ｂの搬送力を有する２つのローラにより搬送されている。したがって、はがきサイズの用紙幅を有する用紙３が、レジストローラ１４Ａ，１４Ｂの搬送力のみにより搬送されて、用紙３が斜行してしまうことを抑制できる。
【００５５】
用紙３の先端が感光体ドラム３１と転写ローラ３４との間を通過したと判断された場合（Ｓ１０７：Ｙｅｓ）、給紙ローラ用電磁クラッチ６２がオフになる（Ｓ１０９）。給紙ローラ用電磁クラッチ６２がオフになると、マルチパーパス側給紙ローラ１５への動力伝達が遮断される状態となる。用紙３の先端が感光体ドラム３１と転写ローラ３４との間を通過すると、用紙３が搬送力を有する感光体ドラム３１により搬送される。用紙３は、マルチパーパス側給紙ローラ１５の搬送力がなくなっても、感光体ドラム３１、及び、レジストローラ１４Ａ，１４Ｂの搬送力を有する２つのローラにより搬送されるため、用紙３の斜行を抑制できる。この時、図４に示すように、レジ後センサ２２により用紙３の先端が検知されてから所定時間Ｔ２が経過すると、感光体ドラム３１による用紙３の搬送が開始される。この開始と同時に用紙３へ可視像が転写される。
【００５６】
用紙３の先端が感光体ドラム３１と転写ローラ３４との間を通過していないと判断された場合（Ｓ１０７：Ｎｏ）、かつ、用紙３の後端がマルチパーパス側給紙ローラ１５の直前の位置に到達したと判断された場合（Ｓ１０８：Ｙｅｓ）、給紙ローラ用電磁クラッチ６２がオフになる（Ｓ１０９）。つまり、用紙３の先端が感光体ドラム３１と転写ローラ３４との間を通過するまで、用紙３がレジストローラ１４Ａ，１４Ｂの搬送力のみで搬送される。図５に示すように、用紙３の先端が感光体ドラム３１と転写ローラ３４との間を通過していなくても、搬送方向における用紙の用紙長がマルチパーパス側給紙ローラ１５からレジストローラ１４Ａ，１４Ｂまでの用紙搬送距離よりも短い場合、用紙３の後端がマルチパーパス側給紙ローラ１５の直前の位置に到達すると、用紙３が次の用紙３と重送しないように給紙ローラ用電磁クラッチ６２がオフになる。したがって、マルチパーパス側給紙ローラ１５の搬送力がなくなり、用紙３の先端が感光体ドラム３１と転写ローラ３４との間を通過するまで、レジストローラ１４Ａ，１４Ｂの搬送力のみで用紙３が搬送される。用紙３の後端がマルチパーパス側給紙ローラ１５の直前の位置に到達したかの判断は、例えば、コンピュータ５７から送信された印刷データに含まれる用紙長情報と、マルチパーパス側給紙ローラ１５の駆動時間から算出される用紙搬送距離とを用いて行われる。
【００５７】
用紙搬送経路上における、マルチパーパス側給紙ローラ１５から感光体ドラム３１までの距離が、用紙３の用紙長よりも長い場合に、用紙３の後端がマルチパーパス側給紙ローラ１５の直前の位置に到達するまで、マルチパーパス側給紙ローラ１５及びレジストローラ１４Ａ，１４Ｂの搬送力を有する２つのローラで用紙３を搬送することができる。
【００５８】
可視像が転写された用紙３は、次いで定着部２７に搬送され、その後、排紙トレイ９上に排出される。用紙３の印刷が完了してこのフローチャートが終了する。
【００５９】
［第２の実施形態］
第２の実施形態について、図７、図８、及び、図９を用いて説明する。図７は、本発明の第２の実施形態に係るレーザプリンタの電気的構成を表すブロック図である。図８は、本発明の第２の実施形態に係るマルチパーパストレイ上の用紙が印刷される時の動作を表すタイミングチャートである。図９は、本発明の第２の実施形態に係るマルチパーパストレイ上の用紙が印刷される時の処理の流れを表すフローチャートである。
【００６０】
第２の実施形態は、第１の実施形態における図１に示すレーザプリンタの全体の内部構成と共通する。また、図７から図９において、第１の実施形態と同じ構成、及び、処理に関しては第１の実施形態で使用した符号を用いている。第１の実施形態と共通する構成、及び、処理については説明を省略する。第２の実施形態では、給紙ローラ用電磁クラッチ６２ではなく、給紙ローラ用ソレノイド６３が用いられ、マルチパーパス側給紙ローラ１５への駆動力を伝達する機構が第１の実施形態と異なる。
【００６１】
第２の実施形態では、図７に示すように、給紙ローラ用ソレノイド６３と制御部５４とが電気的に接続されている。給紙ローラ用ソレノイド６３は、メインモータ６０とマルチパーパス側給紙ローラ１５との間に駆動力を伝達する機構として設けられ、オンになると同時に、メインモータ６０からマルチパーパス側給紙ローラ１５に駆動力が供給される状態となり、用紙３とマルチパーパス側給紙ローラ１５とが接触する状態になる。そして用紙３の先端がマルチパーパス側給紙ローラ１５からレジストローラ１４Ａ，１４Ｂに到達されるまでの所定時間Ｔ３が経過するまでマルチパーパス側給紙ローラ１５に駆動力が供給される。所定時間Ｔ３が経過するとマルチパーパス側給紙ローラ１５に供給されている駆動力が遮断され、用紙３からマルチパーパス側給紙ローラ１５が離間するように構成されている。なお、この所定時間Ｔ３が経過するまでの時間に、給紙ローラ用ソレノイド６３がオフになる。給紙ローラ用ソレノイド６３がオフになってもこの所定時間Ｔ３が経過するまではマルチパーパス側給紙ローラ１５に駆動力が供給されるようになっている。給紙ローラ用ソレノイド６３がオンになってからオフになるまでの所定時間Ｔ４は、例えば、１００ｍｓに設定されている。
【００６２】
レーザプリンタ１に外部のコンピュータ５７からマルチパーパストレイ１４上の用紙３を用いる印刷指令を受けると、図９に示すフローチャートの処理が開始される。印刷指令を受けると、ＣＰＵ１１は、コンピュータ５７から送信される印刷データを受信し、その印刷データをＲＡＭ５３上に展開する展開処理を開始する。またこれとほぼ同時に、メインモータ６０の駆動が開始される。
【００６３】
１頁分の印刷データの展開処理が完了すると、給紙ローラ用ソレノイド６３がオンになる（Ｓ２０１）。給紙ローラ用ソレノイド６３がオンになると同時に、マルチパーパス側給紙ローラ１５に駆動力が供給され、マルチパーパストレイ１４上の用紙３が給紙される。次に、給紙ローラ用ソレノイド６３がオンになってから所定時間Ｔ４が経過したか否かが判断される（Ｓ２０２）。
【００６４】
給紙ローラ用ソレノイド６３がオンになってから所定時間Ｔ４が経過していないと判断された場合（Ｓ２０２：Ｎｏ）、給紙ローラ用ソレノイド６３がオンになった状態が維持されてＳ２０２の処理が繰り返される。給紙ローラ用ソレノイド６３がオンになってから所定時間Ｔ４が経過したと判断された場合（Ｓ２０２：Ｙｅｓ）、給紙ローラ用ソレノイド６３がオフになる（Ｓ２０３）。図９に示すように、給紙ローラ用ソレノイド６３がオフになっても、用紙３がレジストローラ１４Ａ，１４Ｂにより搬送されるまでマルチパーパス側給紙ローラ１５に駆動力が供給され続ける。
【００６５】
次に用紙３の先端がレジ前センサ２１に到達すると、レジ前センサ２１がオンになり（Ｓ１０２：Ｙｅｓ）、レジストローラ用ソレノイド６１がオンになる（Ｓ１０３）。停止しているレジストローラ１４Ａ，１４Ｂに用紙３の先端が突き当たり、用紙３の斜行が補正される。レジストローラ用ソレノイド６１がオンになってから用紙３の斜行が補正されるまでの所定時間Ｔ１が経過すると（Ｓ１０４：Ｙｅｓ）、レジストローラ用ソレノイド６１がオフになる（Ｓ１０５）。レジストローラ用ソレノイド６１がオフになると同時に、レジストローラ１４Ａ，１４Ｂにより用紙３が搬送され始める。
【００６６】
次に用紙幅検出センサ６４により検出された用紙幅が、はがきサイズであるか否かが判断される（Ｓ１０６）。用紙幅検出センサ６４により検出された用紙幅が、はがきサイズである場合（Ｓ１０６：Ｙｅｓ）、マルチパーパス側給紙ローラ１５が１回転して行われる給紙動作にかかる１周期分の時間が経過したか否かが判断される（Ｓ２０４）。マルチパーパス側給紙ローラ１５が１回転することで用紙３の先端がレジストローラ１４Ａ，１４Ｂに到達するように、マルチパーパス側給紙ローラ１５の直径、及び、マルチパーパス側給紙ローラ１５からレジストローラ１４Ａ，１４Ｂまでの用紙搬送経路上の距離が設定されている。
【００６７】
マルチパーパス側給紙ローラ１５が１回転して行われる給紙動作にかかる１周期分の時間が経過しないと判断された場合（Ｓ２０４：Ｎｏ）、Ｓ２０４の処理が繰り返される。マルチパーパス側給紙ローラ１５が１回転して行われる給紙動作にかかる１周期分の時間が経過したと判断された場合（Ｓ２０４：Ｙｅｓ）、給紙ローラ用ソレノイド６３がオンになる（Ｓ２０５）。図９に示すように、用紙３がレジストローラ１４Ａ，１４Ｂによって搬送された後にマルチパーパス側給紙ローラ１５への駆動力が遮断され、マルチパーパス側給紙ローラ１５の１周期分の時間が経過する。マルチパーパス側給紙ローラ１５の１周期分の時間が経過すると、給紙ローラ用ソレノイド６３がオンになる。給紙ローラ用ソレノイド６３がオンになると同時に、マルチパーパス側給紙ローラ１５に駆動力が供給される。
【００６８】
次に、給紙ローラ用ソレノイド６３がオンになってから所定時間Ｔ４が経過したか否かが判断される（Ｓ２０６）。給紙ローラ用ソレノイド６３がオンになってから所定時間Ｔ４が経過していないと判断された場合（Ｓ２０６：Ｎｏ）、給紙ローラ用ソレノイド６３がオンになった状態が維持されてＳ２０６の処理が繰り返される。給紙ローラ用ソレノイド６３がオンになってから所定時間Ｔ４が経過したと判断された場合（Ｓ２０６：Ｙｅｓ）、給紙ローラ用ソレノイド６３がオフになる（Ｓ２０７）。図９に示すように、１枚の用紙３を搬送するために、給紙ローラ用ソレノイド６３が２回オンになり、用紙３がマルチパーパス側給紙ローラ１５により搬送されている間に、用紙３の先端が感光体ドラム３１に到達する。この時、用紙３は、マルチパーパス側給紙ローラ１５、レジストローラ１４Ａ，１４Ｂ、及び、感光体ドラム３１によって搬送されている。マルチパーパス側給紙ローラ１５に供給されている駆動力が遮断されても、用紙３は、レジストローラ１４Ａ，１４Ｂ、及び、感光体ドラム３１によって搬送されるため、用紙３の斜行を抑制できる。
【００６９】
［第３の実施形態］
第３の実施形態について図１０、及び、図１１を用いて説明する。図１０は、本発明の第３の実施形態に係るマルチパーパストレイ上の用紙が印刷される時の動作を表すタイミングチャートである。図１１は、本発明の第３の実施形態に係るマルチパーパストレイ上の用紙が印刷される時の処理の流れを表すフローチャートである。
【００７０】
第３の実施形態は、第１の実施形態における図１に示すレーザプリンタの全体の内部構成、及び、第２の実施形態における図７に示す電気的構成と共通する。また、図１０、及び、図１１において、第１の実施形態、又は、第２の実施形態と同じ構成、及び、処理に関しては第１の実施形態、又は、第２の実施形態で使用した符号を用いる。第１の実施形態、又は、第２の実施形態と共通する構成、及び、処理については説明を省略する。第３の実施形態では、第２の実施形態において、レジストローラ１４Ａ，１４Ｂの回転が停止されることにより用紙３の斜行が補正され、レジストローラ用ソレノイド６１がオフになった後に、再度レジストローラ用ソレノイド６１がオンになる動作が第２の実施形態と異なる。
【００７１】
図１１に示すように、Ｓ１０５で、用紙３の斜行が補正されてレジストローラ用ソレノイド６１がオフになり、用紙幅検出センサ６４により検出された用紙幅が、はがきサイズであると判断された場合（Ｓ１０６：Ｙｅｓ）、用紙３の先端がレジストローラ１４Ａ，１４Ｂにより挟持されるために必要な所定時間Ｔ５が経過したか否かが判断される（Ｓ３０１）。用紙３の先端がレジストローラ１４Ａ，１４Ｂにより挟持されるために必要な所定時間Ｔ５が経過するまで用紙３の搬送が行われる（Ｓ３０１：Ｎｏ）。
【００７２】
用紙３の先端がレジストローラ１４Ａ，１４Ｂにより挟持されるために必要な所定時間Ｔ５が経過したと判断された場合（Ｓ３０１：Ｙｅｓ）、レジストローラ用ソレノイド６１がオンになる（Ｓ３０２）。レジストローラ用ソレノイド６１がオンになると、用紙３がレジストローラ１４Ａ，１４Ｂにより挟持された状態で用紙の搬送が一時停止する。図１１に示すように、マルチパーパス側給紙ローラ１５に供給されている駆動力が遮断されると同時に、レジストローラ用ソレノイド６１がオンになる。したがって、マルチパーパス側給紙ローラ１５に供給されている駆動力が遮断されている時に、レジストローラ１４Ａ，１４Ｂのみにより用紙３が搬送されないため、レジストローラ用ソレノイド６１を用いた構成においても、用紙３の斜行を抑制することができる。
【００７３】
マルチパーパス側給紙ローラ１５が１回転して行われる給紙動作にかかる１周期分の時間が経過したか否かが判断される（Ｓ３０３）。マルチパーパス側給紙ローラ１５が１回転して行われる給紙動作にかかる１周期分の時間が経過するまで、Ｓ３０３の処理が繰り返される（Ｓ３０３：Ｎｏ）。マルチパーパス側給紙ローラ１５が１回転して行われる給紙動作にかかる１周期分の時間が経過したと判断された場合（Ｓ３０３：Ｙｅｓ）、給紙ローラ用ソレノイド６３がオンになる（Ｓ３０４）。給紙ローラ用ソレノイド６３がオンになると、マルチパーパス側給紙ローラ１５に駆動力が供給されて、用紙３の搬送が再開される。この時点では、マルチパーパス側給紙ローラ１５による用紙３の搬送が再開されても、レジストローラ１４Ａ，１４Ｂの回転が停止しているため、用紙３はレジストローラ１４Ａ，１４Ｂに挟持されたままである。
【００７４】
次に、用紙３が再度搬送されるまでの所定時間Ｔ６が経過したか否かが判断される（Ｓ３０５）。これは一般的にソレノイドの遅延やギアの接続に要する時間として規定される。所定時間Ｔ６が経過したと判断されると（Ｓ３０５：Ｙｅｓ）、レジストローラ用ソレノイド６１がＯＦＦになる（Ｓ３０６）。所定時間Ｔ６が経過するまでＳ３０５の処理が繰り返される（Ｓ３０５：Ｎｏ）。
【００７５】
次に、給紙ローラ用ソレノイド６３がオンになってから所定時間Ｔ７が経過したか否かが判断される（Ｓ３０７）。給紙ローラ用ソレノイド６３がオンになってから所定時間Ｔ７が経過するまでＳ３０７の処理が繰り返される（Ｓ３０７：Ｎｏ）。給紙ローラ用ソレノイド６３がオンになってから所定時間Ｔ７が経過したと判断された場合（Ｓ３０７：Ｙｅｓ）、給紙ローラ用ソレノイド６３がオフになる（Ｓ３０８）。
【００７６】
［第４の実施形態］
第４の実施形態について図１２、及び、図１３を用いて説明する。図１２は、本発明の第４の実施形態に係るマルチパーパストレイ上の用紙が印刷される時の動作を表すタイミングチャートである。図１３は、本発明の第４の実施形態に係るマルチパーパストレイ上の用紙が印刷される時の処理の流れを表すフローチャートである。
【００７７】
第４の実施形態は、第１の実施形態における図１に示すレーザプリンタの全体の内部構成、及び、第２の実施形態における図７に示す電気的構成と共通する。また、図１２、及び、図１３において、第１の実施形態、第２の実施形態、又は、第３の実施形態と同じ構成、及び、処理に関しては第１の実施形態、第２の実施形態、又は、第３の実施形態で使用した符号を用いる。第１の実施形態、第２の実施形態、又は、第３の実施形態と共通する構成、及び、処理については説明を省略する。第４の実施形態では、第３の実施形態におけるＳ１０４からＳ３０３までの処理が異なる。具体的に第４の実施形態では、第３の実施形態におけるＳ１０５でレジストローラ用ソレノイド６１が一度オフにされた後に、Ｓ３０２でレジストローラ用ソレノイド６１がオンにされる処理が行われず、Ｓ１０３でレジストローラ用ソレノイド６１がオンにされたらＳ３０６までレジストローラ用ソレノイド６１がオフにされないことが第３の実施形態と異なる。
【００７８】
図１３に示すように、Ｓ１０３でレジストローラ用ソレノイド６１がオンにされて、用紙３の斜行を補正するためにレジストローラ１４Ａ，１４Ｂの回転が停止される。Ｓ１０３でレジストローラ用ソレノイド６１がオンにされると、用紙幅検出センサ６４により検出された用紙幅が、はがきサイズであるか否かが判断される（Ｓ４０１）。用紙幅検出センサ６４により検出された用紙幅が、はがきサイズでないと判断された場合（Ｓ４０１：Ｎｏ）、このフローチャートの処理が終わり、用紙３が画像形成部５に搬送されて印刷が行われる。
【００７９】
用紙幅検出センサ６４により検出された用紙幅が、はがきサイズであると判断された場合（Ｓ４０１：Ｙｅｓ）、マルチパーパス側給紙ローラ１５が１回転して行われる給紙動作にかかる１周期分の時間が経過したか否かが判断される（Ｓ４０２）。マルチパーパス側給紙ローラ１５が１回転して行われる給紙動作にかかる１周期分の時間が経過するまで、Ｓ４０２の処理が繰り返される（Ｓ４０２：Ｎｏ）。マルチパーパス側給紙ローラ１５が１回転して行われる給紙動作にかかる１周期分の時間が経過したと判断された場合（Ｓ４０２：Ｙｅｓ）、給紙ローラ用ソレノイド６３がオンになる（Ｓ３０４）。
【００８０】
図１３に示すように、レジストローラ用ソレノイド６１がオンになりレジストローラ１４Ａ，１４Ｂの回転が停止してからマルチパーパス側給紙ローラ１５に供給される駆動力が遮断されるまで用紙３がレジストローラ１４Ａ，１４Ｂに突き当てられ、用紙３が撓む。マルチパーパス側給紙ローラ１５に供給される駆動力が遮断されると、用紙３の撓みが元に戻り、用紙３がレジストローラ１４Ａ，１４Ｂに突き当てられる力が弱まる。２回目の給紙ローラ用ソレノイド６３がオンになったタイミングで再度用紙３がレジストローラ１４Ａ，１４Ｂに突き当てられる。このとき、用紙３の斜行が補正されるのに必要な時間が経過したか否かが判断される（Ｓ３０５）。用紙３の斜行が補正されるのに必要な時間が経過するまでＳ３０５の処理が繰り返される（Ｓ３０５：Ｎｏ）。用紙３の斜行が補正されるのに必要な時間が経過したと判断されると（Ｓ３０５：Ｙｅｓ）、レジストローラ１４Ａ，１４Ｂの回転が開始され、用紙３が画像形成部５に搬送されて印刷動作が行われる。
【００８１】
［変形例］
本発明は、本実施形態に限定されることなく、その趣旨を逸脱しない範囲において種々の変形が可能である。以下にその変形の一例を述べる。
【００８２】
本実施形態では、本発明に係る画像形成装置の印刷をマルチパーパストレイ上の用紙３が印刷される場合について説明したが、本発明に係る画像形成装置の印刷を給紙トレイ１１に載置された用紙３が印刷される場合にも適用することができる。給紙ローラ用電磁クラッチ６２は、メインモータ６０と給紙ローラ１３との間のクラッチ機構として設けられ、オンのときには、メインモータ６０から給紙ローラ１３へ動力が伝達される状態となり、オフのときにはその動力伝達が遮断される状態となる。なお、クラッチ機構としては、給紙ローラ用電磁クラッチ６２の代わりに、給紙ローラ用ソレノイド６３を用いてもよい。
【００８３】
また、本実施形態では、本発明に係る給紙ローラ１３、及び、マルチパーパス側給紙ローラ１５の断面が円形である場合について説明したが、給紙ローラ１３、及び、マルチパーパス側給紙ローラ１５の断面がＤ字状の給紙ローラ１３、及び、マルチパーパス側給紙ローラ１５であってもよい。
【００８４】
また、本実施形態では、はがきサイズの用紙幅であるか否かの判断によってマルチパーパス側給紙ローラ１５に供給される駆動力の遮断タイミングが制御されたが、はがきサイズの用紙幅以下であるか否かの判断によってマルチパーパス側給紙ローラ１５に供給される駆動力の遮断タイミングが制御されてもよい。
【００８５】
また、本実施形態では、Ａ４サイズの用紙幅を印刷できるレーザプリンタ１におけるはがきサイズの用紙幅の用紙３が印刷される場合について説明したが、Ａ３サイズの用紙幅を印刷できるレーザプリンタ１におけるＢ５サイズの用紙幅の用紙３が印刷される場合にも適用できる。また、はがきサイズは封筒などのサイズであってもよい。
【００８６】
また、本実施形態では、用紙幅検出センサ６４を用いて用紙幅を検出したが、コンピュータ５７から送信された印刷データに含まれる用紙幅情報用いて行われてもよい。その他、レーザプリンタ１の図示しない操作パネルから設定された用紙幅の情報を用いてもよい。
【符号の説明】
【００８７】
１      レーザプリンタ
５      画像形成部
１３    給紙ローラ
１５    マルチパーパス側給紙ローラ
１４Ａ  レジストローラ（駆動側）
１４Ｂ  レジストローラ（従動側）
２１    レジ前センサ
２２    レジ後センサ
５１    ＣＰＵ
５２    ＲＯＭ
５３    ＲＡＭ
５４    制御部
５５    ネットワークＩ／Ｆ
５６    制御装置
５７    コンピュータ
６０    メインモータ
６１    レジストローラ用ソレノイド
６２    給紙ローラ用電磁クラッチ
６４    用紙幅検出センサ
【図１】
0005578129.tif 000002
【図２】
0005578129.tif 000003
【図３】
0005578129.tif 000004
【図４】
0005578129.tif 000005
【図５】
0005578129.tif 000006
【図６】
0005578129.tif 000007
【図７】
0005578129.tif 000008
【図８】
0005578129.tif 000009
【図９】
0005578129.tif 000010
【図１０】
0005578129.tif 000011
【図１１】
0005578129.tif 000012
【図１２】
0005578129.tif 000013
【図１３】
0005578129.tif 000014